(57)【要約】  【課題】  高層ビルや集合住宅などの化粧壁、目隠し壁などの構築に用いる建築物の笛吹き音が発生しない外壁用孔あきパネルを提供する。  【解決手段】  外壁用パネルに多数の開口部が規則的に配列されており、同開口部の断面形状は表面から裏面に向けて湾曲した縮流部と、この縮流部からパネル表面とは直角方向に真っ直ぐに伸びる整流部とを備えて成る。【選択図】  図３
2006214088.tif 000002
【特許請求の範囲】
【請求項１】
建築物の外壁用孔あきパネルであって、
外壁用パネルに多数の開口部が規則的に配列されており、同開口部の断面形状は表面から裏面に向けて湾曲した縮流部と、この縮流部からパネル表面とは直角方向に真っ直ぐに伸びる整流部とを備えて成ることを特徴とする、建築物の外壁用孔あきパネル。
【請求項２】
開口部は丸孔に形成されていることを特徴とする、請求項１に記載した建築物の外壁用孔あきパネル。
【請求項３】
外壁用パネルは、多数の開口部が規則的に配列された平板部と、同平板部の左右両端から背面側に略垂直方向に形成された垂直リブと、同垂直リブから更に内方に前記平板部と水平に形成された水平リブとを有する略Ｃ形断面の長尺パネルであることを特徴とする、請求項１に記載した建築物の外壁用孔あきパネル。
【請求項４】
水平リブに締結金具用の下孔として小孔が多数長手方向に形成されており、前記小孔と平板部の幅方向両側の開口部とは、締結金具を締結する工具を前記開口部へ通し、締結金具の先端を小孔へ位置決めできる位置関係に配置されていることを特徴とする、請求項３に記載した建築物の外壁用孔あきパネル。
【発明の詳細な説明】
【技術分野】
【０００１】
この発明は、高層ビルや集合住宅などの化粧壁、目隠し壁などの構築に用いる建築物の外壁用孔あきパネルの技術分野に属する。
【背景技術】
【０００２】
従来の建築物外壁用の目隠しパネルとして使用される孔あきパネルは、単なる打ち抜きによる開口部を有するパンチングメタルプレートで構成されるケースが多かった。そのために、風の強いときには笛吹き音が発生し、音環境が悪化して居住者からの苦情が多かった。
特に、ビル風の激しい上層階では、地上階に比べて風速が増速するので、対策を講じる必要があった。
【０００３】
こうした笛吹き音の発生を防止するために、多数の孔をランダムに配置すること、または、大孔と小孔を千鳥状に近接して配置する外壁用孔あきパネル（特許文献１）、菱形多孔体と孔のあいていない「Ｘ」字状部を設けたパネル（特許文献２）がある。
しかしながら、これらは、強風時の笛吹き音の発生を防止するには十分でなかった。
【０００４】
この出願に関連する先行技術文献として次のものがある。
【特許文献１】特開２０００−２３４４１４号公報
【特許文献２】特開２００２−３３２７５７号公報
【発明の開示】
【発明が解決しようとする課題】
【０００５】
本発明の目的は、強風時に発生する笛吹き音による騒音の発生を防止できなかった点を改善し、効果的に笛吹き音の発生を防止する建築物の外壁用孔あきパネルを提供することである。
【課題を解決するための手段】
【０００６】
上記従来技術の課題を解決するための手段として、請求項１に記載した発明に係る建築物の外壁用孔あきパネルは、
建築物の外壁用孔あきパネルであって、
外壁用パネルに多数の開口部が規則的に配列されており、同開口部の断面形状は表面から裏面に向けて湾曲した縮流部と、この縮流部からパネル表面とは直角方向に真っ直ぐに伸びる整流部とを備えて成ることを特徴とする。
【０００７】
請求項２記載の発明は、請求項１に記載した建築物の外壁用孔あきパネルにおいて、
開口部は丸孔に形成されていることを特徴とする。
【０００８】
請求項３記載の発明は、請求項１に記載した建築物の外壁用孔あきパネルにおいて、
外壁用パネルは、多数の開口部が規則的に配列された平板部と、同平板部の左右両端から背面側に略垂直方向に形成された垂直リブと、同垂直リブから更に内方に前記平板部と水平に形成された水平リブとを有する略Ｃ形断面の長尺パネルであることを特徴とする。
【０００９】
請求項４記載の発明は、請求項３に記載した建築物の外壁用孔あきパネルにおいて、
水平リブに締結金具用の下孔として小孔が多数長手方向に形成されており、前記小孔と平板部の幅方向両側の開口部とは、締結金具を締結する工具を前記開口部へ通し、締結金具の先端を小穴へ位置決めできる位置関係に配置されていることを特徴とする。
【発明の効果】
【００１０】
本発明に係る建築物の外壁用孔あきパネルは、開口部の断面形状を表面から裏面に向けて湾曲した縮流部と、この縮流部からパネル表面とは直角方向に真っ直ぐに伸びる整流部とを備えた構成としたので、開口部を通過する空気の流れを整流でき、笛吹き音の発生を防止することができる。
【００１１】
請求項４に係る建築物の外壁用孔あきパネルは、水平リブに締結金具の先端がズレないように複数の小孔が長手方向に形成されており、前記小孔と平板部の幅方向両側の開口部とは、締結金具を締結する工具を前記開口部へ通し、締結金具の先端を小孔へ位置決めできる位置関係に配置されているので、工具の使用に何の障害もなく外壁用パネルの締結作業を実施することができ作業性が良い。
【発明を実施するための最良の形態】
【００１２】
本発明に係る建築物の外壁用孔あきパネル（以下、単に孔あきパネルと省略する場合がある。）の実施形態を以下に説明する。本発明に係る孔あきパネルは、高層ビルや集合住宅などの化粧壁、目隠し壁などの構築に好適に用いられる。
【００１３】
この孔あきパネル１は、板厚が２mm程度の亜鉛メッキ鋼板を折り曲げた一枚構造である。具体的には、孔あきパネル１の開口率が１５％程度（但し、この限りでない。）となるように、多数の開口部２…が上下左右方向に規則的に配列された平板部３（一例として、左右方向の長さが２５０mm、上下方向の長さが４０００mm程度）と、同平板部３の左右両端から背面側に略垂直方向に形成された垂直リブ４（一例として、高さが６０mm程度）と、同垂直リブ４から更に内方に前記平板部３と水平に形成された水平リブ５（一例として、幅寸法が４０mm程度）とを有する略Ｃ形断面の長尺パネルである（図１及び図２を参照、請求項３記載の発明）。
【００１４】
前記開口部２は、口径Ｒが１５mm〜２５mm程度の丸孔に形成されており（図３（Ａ）を参照）、開口部２の断面形状は表面から裏面に向けて湾曲（一例として、半径ｒが１０mm程度）した縮流部２ａと、この縮流部２ａから平板部３（孔あきパネル１）表面とは直角方向に真っ直ぐに伸びる（一例として、長さＬが３mm程度）整流部２ｂとを備えて成る（図３（Ｂ）を参照、請求項１、２記載の発明）。そのため、開口部２を通過する空気の流れは整流され、通風によって発音する笛吹き音の発生を防止することができる。
【００１５】
［検証実験］
本発明の孔あきパネル１が笛吹き音の発生を防止できる構成であることを確認するために、以下の風洞実験をした。
【００１６】
先ず、何も設置されていない風洞内に風速１０ｍの風を送り込み、そのときに発生する音の周波数を観測し、図４（Ａ）に示した。
【００１７】
次に、風洞内に左右方向の長さが２５０mm、上下方向の長さが１４００mmの孔なしパネルを設置し、同孔なしパネルを１５°ずつ回転させながら、風洞内に風速１０ｍの風を送り込み、そのときに発生する音の周波数を観測し、図４（Ｂ）に示した。ちなみに、斜線を付した数値は孔なしパネルのエッジ部分などから発生する風切り音で、その他の数値は風洞音である。
【００１８】
更に、風洞内に左右方向の長さが２５０mm、上下方向の長さが１４００mm、開口部が２０mm、開口率が１６％の従来の孔あきパネル（パンチングメタルプレート）を設置し、同孔あきパネルを１５°ずつ回転させながら、風洞内に風速１０ｍの風を送り込み、このとき発生する音の周波数を観測し、図４（Ｃ）に示した。網掛けを付した数値が笛吹き音で、その他の数値は風洞音である。
【００１９】
最後に、風洞内に左右方向の長さが２５０mm、上下方向の長さが１４００mm、開口部の口径が２０mm、開口率が１６％で、前記開口部の縮流部の半径が１０mm、整流部の長さが３mmの本発明の孔あきパネルを設置し、同孔あきパネルを１５°ずつ回転させながら、風洞内に風速１０ｍの風を送り込み、そのときに発生する音の周波数を観測し、図４（Ｄ）に示した。全ての数値は風洞音であり、風速１０ｍでは笛吹き音は発生しなかった。
【００２０】
そして、風速１５ｍで同様の実験を行ったが、やはり風洞音のみで笛吹き音は発生しなかった（図５（Ａ）〜（Ｄ））。
【実施例１】
【００２１】
上記検証実験に基づく本発明の実施例を以下に説明する。
図１及び図２に示す孔あきパネル１は、板厚が２mmの亜鉛メッキ鋼板を折り曲げた一枚構造であり、開口率が１６％となるように、多数の開口部２…が上下左右方向に規則的に配列された平板部３（左右方向の長さが２５０mm、上下方向の長さが１４００mm）と、同平板部３の左右両端から背面側に略垂直方向に形成された垂直リブ４（高さが６０mm）と、同垂直リブ４から更に内方に前記平板部３と水平に形成された水平リブ５（幅寸法が２０mm）とを有する略Ｃ形断面の長尺パネルとされている。
【００２２】
前記開口部２は口径Ｒが２５mmの丸孔に形成されており（図３（Ａ）を参照）、開口部２の断面形状は表面から裏面に向けて湾曲（半径ｒが１５mm）した縮流部２ａと、この縮流部２ａから平板部３とは直角方向に真っ直ぐに伸びる（長さＬが３mm）整流部２ｂとを備えた構成とされている（図３（Ｂ）を参照）。そのため、開口部２を通過する空気の流れは整流され、通風によって発音する笛吹き音を防止することができる。
【００２３】
上記構成の孔あきパネル１は、図６に示すように建築物の外周部分に用意された下地材６へ締結する場合、孔あきパネル１の水平リブ５を下地材６へ当接させ締結金具である鋲７で締結する。ちなみに、孔あきパネル１の水平リブ５には、鋲打ち銃８で打ち込む鋲７の先端がズレないように、下孔として複数の小孔９…を長手方向に形成し、同小孔９と平板部３の幅方向両側の開口部２との中心点を一致させている。従って、先端に鋲７を装填した鋲打ち銃８を開口部２へ通し、鋲７の先端を小孔９へ位置決めして打ち込むことができる位置関係となっている。よって、鋲打ち銃８の使用には何の障害もなく、締結作用を容易に実施することができ、作業性が良い（図１（Ｂ）及び図２を参照、請求項４記載の発明）。開口部２の口径と、鋲打ち銃８の外径とが略同一にされていると、鋲打ち銃８が開口部２の整流部２ｂに拘束されて鉛直状態が維持され、鋲７を真っ直ぐに打ち込むことができる。
【００２４】
上記のように孔あきパネル１を下地材６へ鋲７で締結する工程を、繰り返して図７及び図８に示すように連続させ、建築物の化粧壁、目隠し壁などとして構築される。
【００２５】
上記孔あきパネル１は、開口部２が丸孔に形成されているが、長孔でも良い。この場合の平板部３の幅方向両側の開口部２と水平リブ５の小孔９との位置関係は、先端に鋲７を装填した鋲打ち銃８を開口部２へ通し、鋲７の先端を小孔９へ位置決めできる位置関係とされる（請求項４記載の発明）。
【００２６】
上記孔あきパネル１は、単独で下地材６へ締結したが、複数の孔あきパネル１…をユニット化して締結しても良い。
【００２７】
上記孔あきパネル１は、上下方向に長い形態で用いているが、左右方向に長い形態で用いても同様に実施できる。
【００２８】
上記孔あきパネル１は、鋲７で下地材６へ締結したが、締結金具は特に限定されない。
【００２９】
以上に本発明の実施例を説明したが、本発明はこうした実施例に何ら限定されるものではなく、本発明の要旨を逸脱しない範囲において、種々の形態で実施し得る。
【図面の簡単な説明】
【００３０】
【図１】（Ａ）は、本発明に係る建築物の外壁用孔あきパネルの実施形態（実施例）を示した正面図である。（Ｂ）は、本発明に係る建築物の外壁用孔あきパネルの実施形態（実施例）を示した背面図である。
【図２】本発明に係る建築物の外壁用孔あきパネルの実施形態（実施例）を示したＡ−Ａ矢視断面図である。
【図３】（Ａ）は開口部の平面図である。（Ｂ）は開口部のＢ−Ｂ矢視断面図である。
【図４（Ａ）】何も設置されていない風洞内に風速１０ｍの風を送り込み、そのときに発生する音の周波数を観測した検証実験の結果を示した図である。
【図４（Ｂ）】風洞内に孔なしパネルを設置し、同孔なしパネルを１５°ずつ回転させながら、風洞内に風速１０ｍの風を送り込み、そのときに発生する風の周波数を観測した検証実験の結果を示した図である。
【図４（Ｃ）】風洞内に従来の孔あきパネルを設置し、同孔あきパネルを１５°ずつ回転させながら、風洞内に風速１０ｍの風を送り込み、そのときに発生する風の周波数を観測した検証実験の結果を示した図である。
【図４（Ｄ）】風洞内に本発明の孔あきパネルを設置し、同孔あきパネルを１５°ずつ回転させながら、風洞内に風速１０ｍの風を送り込み、そのときに発生する風の周波数を観測した検証実験の結果を示した図である。
【図５（Ａ）】何も設置されていない風洞内に風速１５ｍの風を送り込み、そのときに発生する音の周波数を観測した検証実験の結果を示した図である。
【図５（Ｂ）】風洞内に孔なしパネルを設置し、同孔なしパネルを１５°ずつ回転させながら、風洞内に風速１５ｍの風を送り込み、そのときに発生する風の周波数を観測した検証実験の結果を示した図である。
【図５（Ｃ）】風洞内に従来の孔あきパネルを設置し、同孔あきパネルを１５°ずつ回転させながら、風洞内に風速１５ｍの風を送り込み、そのときに発生する風の周波数を観測した検証実験の結果を示した図である。
【図５（Ｄ）】風洞内に本発明の孔あきパネルを設置し、同孔あきパネルを１５°ずつ回転させながら、風洞内に風速１５ｍの風を送り込み、そのときに発生する風の周波数を観測した検証実験の結果を示した図である。
【図６】本発明に係る建築物の外壁用孔あきパネルを下地材へ固定する要領を示した側面図である。
【図７】本発明に係る建築物の外壁用孔あきパネルを用いて構築した化粧壁などを示した正面図である。
【図８】図７の側面図である。
【符号の説明】
【００３１】
１        建築物の外壁用孔あきパネル
２        開口部
２ａ      縮流部
２ｂ      整流部
３        平板部
４        垂直部
５        水平リブ
９        締結金具用の小穴
【図１】
2006214088.tif 000003
【図２】
2006214088.tif 000004
【図３】
2006214088.tif 000005
【図４（Ａ）】
2006214088.tif 000006
【図４（Ｂ）】
2006214088.tif 000007
【図４（Ｃ）】
2006214088.tif 000008
【図４（Ｄ）】
2006214088.tif 000009
【図５（Ａ）】
2006214088.tif 000010
【図５（Ｂ）】
2006214088.tif 000011
【図５（Ｃ）】
2006214088.tif 000012
【図５（Ｄ）】
2006214088.tif 000013
【図６】
2006214088.tif 000014
【図７】
2006214088.tif 000015
【図８】
2006214088.tif 000016